(57)【要約】【課題】金属製のモータ固定板に樹脂製のカバーが覆っていてもモータの冷却性能の低下を低減することができることを目的とする。【解決手段】室内の空気を室外へ導くフランジ２と筒状部３を有したフレーム４と、前記フランジ２を覆おうオリフィス１４とを結合し、前記筒状部３の内部に金属製のモータ固定板６を設け、前記モータ固定板６を樹脂製の複数の脚９とモータ保持部７を有したモータケース８と樹脂製のモータカバー１２とで覆い、前記脚９に開口２１を設けたという構成にしたことにより、モータ５からの放熱が伝わった金属製のモータ固定板６に開口２１から侵入した室内の空気が当たることとなり、金属製のモータ固定板６に樹脂製のモータカバー１２が覆っていてもモータ５の冷却性能の低下を低減することができる換気扇が得られる。【選択図】図１
2016156537.tif 000002
【特許請求の範囲】
【請求項１】
室内の空気を室外へ導くフランジと筒状部を有したフレームと、前記フランジを覆うオリフィスとを結合し、前記筒状部の内部に金属製のモータ固定板を設け、前記モータ固定板を樹脂製の複数の脚とモータ保持部を有したモータケースと樹脂製のモータカバーとで覆い、前記脚に開口を設けたことを特徴とする換気扇。
【請求項２】
モータ固定板を、開口を覆う形状としたことを特徴とする請求項１に記載の換気扇。
【請求項３】
開口を、モータ保持部より下方の脚に設けたことを特徴とする請求項１に記載の換気扇。
【発明の詳細な説明】
【技術分野】
【０００１】
本発明は、主に居室や事務所の窓に取り付けられ、室内の空気を室外へ排出して換気する窓用の換気扇に関するものである。
【背景技術】
【０００２】
従来、この種の換気扇は、窓ガラスに設置される窓用換気扇が知られている。
【０００３】
以下、特許文献１に記載の窓用換気扇について図４を参照しながら説明する。
【０００４】
図４に示すように、窓ガラス１０１に設けられた円形状の開口１０２に、その内周縁部および内周縁部周囲の室内１０３の側面と室外１０４側面とを覆うようにして、樹脂からなる帯状で断面形状略コの字状のパッキン部材が嵌着されて円環状の弾性枠１０５が形成される。
【０００５】
そして、前記弾性枠１０５内部に、室内１０３側から円筒状の本体１０６が挿入装着されている。
【０００６】
そして、本体１０６の内部の内周壁から突設された固定脚１０７に固定された電動機１０８の回転軸１０９に羽根１１０を固着させた送風機１１１が設けられる。
【０００７】
そして、本体１０６のフランジ部１１２の室内１０３側には、送風機１１１の羽根１１０に空気を案内するオリフィス１１３およびオリフィス１１３の前方を覆う化粧グリル１１４が着脱自在に嵌着されている。
【０００８】
また、本体１０６の室外１０４側の開口部には、この室外１０４側の開口部を開閉する複数枚のシャッター板１１５と、これらのシャッター板１１５を連結する連結板１１６を介してシャッター板１１５を駆動するシャッター開閉装置１１７とからなるシャッター部１１８が設けられている。
【０００９】
そして、シャッター部１１８のシャッター開閉装置１１７は、送風機１１１の電動機１０８に接続されており、送風機１１１の運転時にシャッター板１１５を開放し、送風機１１１の停止時にはシャッター板１１５を閉鎖するように構成されている。
【００１０】
なお、先行技術文献には図示されていないが、上記の構成において、電動機１０８やシャッター開閉装置１１７への塵埃の侵入を防ぐために電動機１０８とその固定板（図示せず）を固定する樹脂側のケース（図示せず）を構成し、別部品のカバーで電動機１０８の周囲を覆う構成が一般的に知られている。
【先行技術文献】
【特許文献】
【００１１】
【特許文献１】特許第３２５５８２４号公報
【発明の概要】
【発明が解決しようとする課題】
【００１２】
このような従来の換気扇においては、フレームにモータを固定する際放熱性に優れた金属製のモータ固定板で固定しモータ固定板に樹脂製のモータケースとモータカバーとで覆っており、モータの発熱がモータ固定板に伝わるがカバーが覆っているため放熱がしにくくモータの冷却性能が低い、という課題を有していた。
【００１３】
そこで本発明は、上記従来の課題を解決するものであり、金属製のモータ固定板に樹脂製のカバーが覆っていてもモータの冷却性能の低下を低減することができる換気扇を提供することを目的とする。
【課題を解決するための手段】
【００１４】
そして、この目的を達成するために、本発明は、室内の空気を室外へ導くフランジと筒状部を有したフレームと、前記フランジを覆うオリフィスとを結合し、前記筒状部の内部に金属製のモータ固定板を設け、前記モータ固定板を樹脂製の複数の脚とモータ保持部を有したモータケースと樹脂製のモータカバーとで覆い、前記脚に開口を設けたこととしたものであり、これにより所期の目的を達成するものである。
【発明の効果】
【００１５】
本発明によれば、室内の空気を室外へ導くフランジと筒状部を有したフレームと、前記フランジを覆うオリフィスとを結合し、前記筒状部の内部に金属製のモータ固定板を設け、前記モータ固定板を樹脂製の複数の脚とモータ保持部を有したモータケースと樹脂製のモータカバーとで覆い、前記脚に開口を設けた、という構成にしたことにより、モータからの放熱が伝わった金属製のモータ固定板に開口から侵入した室内の空気が当たることとなるので、金属製のモータ固定板に樹脂製のカバーが覆っていてもモータの冷却性能の低下を低減することができる、という効果を得ることができる。
【図面の簡単な説明】
【００１６】
【図１】本発明の実施の形態１の換気扇の構成を示す分解斜視図
【図２】同換気扇の室外側から見た斜視図
【図３】同換気扇のモータ固定板を示す斜視図
【図４】従来の換気扇の構成を示す側面断面図
【発明を実施するための形態】
【００１７】
本発明の請求項１記載の換気扇は、室内の空気を室外へ導くフランジと筒状部を有したフレームと、前記フランジを覆うオリフィスとを結合し、前記筒状部の内部に金属製のモータ固定板を設け、前記モータ固定板を樹脂製の複数の脚とモータ保持部を有したモータケースと樹脂製のモータカバーとで覆い、前記脚に開口を設けた、という構成を有する。これにより、モータからの放熱が伝わった金属製のモータ固定板に開口から侵入した室内の空気が当たることとなるので、金属製のモータ固定板に樹脂製のカバーが覆っていてもモータの冷却性能の低下を低減することができる、という効果を奏する。
【００１８】
また、モータ固定板を、開口を覆う形状した、という構成にしてもよい。これにより、開口の全面に露出している金属製のモータ固定板に開口から侵入した室内の空気が当たることとなるので、金属製のモータ固定板に樹脂製のカバーが覆っていてもモータの冷却性能の低下を更に低減することができる、という効果を奏する。
【００１９】
また、開口を、モータ保持部より下方の脚に設けた、という構成にしてもよい。これにより、重力により水や塵埃がモータよりも下方に堆積することとなるので、モータの内部でのトラッキングなどのリスクが低減でき安全性を更に向上することができる、という効果を奏する。
【００２０】
以下、本発明の実施の形態について図面を参照しながら説明する。
【００２１】
（実施の形態１）
図１に示すように、本実施の形態１の換気扇の本体１は、室内の空気を室外へ導くように円状のフランジ２と複数のリブ２４を有した筒状部３とを有しフレーム４を構成する。
【００２２】
そして、筒状部３の軸方向の中央には、安く汎用性のある亜鉛めっき鋼板製の金属の外郭で覆われたモータ５が、金属製のモータ固定板６に対向するようにねじ（図示せず）で固定された状態でモータ保持部７を有したモータケース８にて固定されている。
【００２３】
そして、モータケース８は、上下に２本の脚９によってフレーム４と連通している。
【００２４】
また、フランジ２の一部に電線固定部１０を有しており、モータ５に連通する電線（図示せず）は、上部の脚９とモータカバー１２とで構成された空間の中を通り、モータ５よりも上部すなわち前記室内の天井（図示せず）方向に設けられた電線固定部１０にコンデンサ（図示せず）と電線接続部分（図示せず）を固定して、本体１の上部の後で述べるオリフィス１４に設けた電線出口１１から外部へと連通する。
【００２５】
なお、フランジ２と筒状部３とモータケース８と２本の脚９とは一体とした１つの部品から成り立っており、フレーム４を構成している。
【００２６】
そして、フレーム４以外の構成としては、モータカバー１２はモータ５を挟んでフレーム４に固定される。
【００２７】
そして、モータカバー１２はモータ５の直径よりもわずかに大きな円形の開口１３を中央に有する。そして、モータ５をモータケース８に固定した際、モータ固定板６を覆い隠すこととなり、モータケース８とモータカバー１２とで覆われた空間への塵埃などの侵入を低減することができる。
【００２８】
さらに、フランジ２を覆うようにオリフィス１４をフレーム４の脚９にねじ等で結合する。
【００２９】
これにより、フランジ２に設けた電線固定部１０は、モータケース８とモータカバー１２とオリフィス１４とにより覆われることになり、本体１の内部の後で述べる羽根１６によって室内から室外へ風が流れる風路から遮断されたところに収納される。
【００３０】
そして、モータ５から室内方向に回転軸１５が突出しており、回転軸１５に羽根１６を挿入し、スピンナー１７を締め付けることにより固定されている。
【００３１】
そして、図２にも示すように、フレーム４の筒状部３の室外に面した位置にシャッター固定部１８を設ける。
【００３２】
そして、４枚のシャッター１９が固定されている。
【００３３】
そして、これらのシャッター１９はシャッター連結板２０により４枚のシャッター１９が連結されている。
【００３４】
そして、シャッター１９はシャッター連結板２０に連動して動作するようになっている。
【００３５】
また、シャッター１９は電動で開閉する構造ではなく、風圧により自然に４枚のシャッター１９が連動して開閉する構造となっている。
【００３６】
なお、本実施の形態１の換気扇は、窓ガラスに円形の開口（図示せず）を設け取り付けて使用する。
【００３７】
そして、本体１は、室内側に羽根１６を有した面を配置し、室外側にシャッター１９を有した面を配置して、室内の空気を室外へ排出する換気扇として使用する。
【００３８】
上記構成の本実施の形態１の換気扇においては、フレーム４の一部を構成する脚９に開口２１を設けたことを特徴としている。
【００３９】
これにより、開口２１から室内の空気が侵入し、モータ５からの放熱が伝わった金属製のモータ固定板６に当たり室内の空気に放熱されるので、モータ５の冷却性能が向上する。
【００４０】
また、脚９内に塵埃の侵入を防ぐため、モータ固定板６およびモータ５の外郭をモータカバー１２にて覆い隠す構成とし、室内の空気の流入による冷却性能は悪化するが、脚９に設けた開口２１から空気が流入するため、冷却性能の低下を低減することができる。
【００４１】
さらに、図３に示すように、モータ固定板６は、複数の冷却フィン２３を有したモータ５を固定するリング状のモータ固定枠２５と板金の２ヶ所を折り返した折り返し２２とで構成している。
【００４２】
そして、折り返し２２を脚９の両側面に設けた開口２１がモータ固定板６の折り返し２２によって塞がるように構成している。
【００４３】
これにより、開口２１の全面に金属製のモータ固定板６が露出するため、換気扇の本体１を通過する空気が開口２１に面したモータ固定板６の折り返し２２に接触してモータ５の熱が空気に放熱される。
【００４４】
よって、モータ固定板６の冷却効果が高まり、モータ５の冷却性能の低下をさらに低減することができる。
【００４５】
なお、脚９の開口２１はモータ保持部７よりも下方の脚９の両側面に設けられている。
【００４６】
上記の構成で示したように、モータ５につながる電線や電線接続部分はモータ５より上方に位置しているため、開口２１から水や塵埃が侵入しても、重力により水や塵埃はモータ５よりも下方に堆積する。
【００４７】
よって、モータ５の内部でのトラッキングによる故障などのリスクが低減でき、安全性をさらに向上させることができる。
【産業上の利用可能性】
【００４８】
本発明にかかる換気扇は、金属製のモータ固定板に樹脂製のカバーが覆っていてもモータの冷却性能の低下を低減することができることを可能とするものであるので、モータを駆動源にして羽根の回転により空気を運搬することに使用される送風機等として有用である。
【符号の説明】
【００４９】
２      フランジ
３      筒状部
４      フレーム
６      モータ固定板
７      モータ保持部
８      モータケース
９      脚
１２    モータカバー
１４    オリフィス
２１    開口
【図１】
2016156537.tif 000003
【図２】
2016156537.tif 000004
【図３】
2016156537.tif 000005
【図４】
2016156537.tif 000006